(57)【要約】【課題】調和される空気を下から吹出させることができかつ前後方向のケーシングの長さが短い床置き型空調室内機を提供する。【解決手段】ケーシング１０には、右側吸込口１８ａ及び左側吸込口１８ｂが正面パネルの下部に形成され、右側吹出口１７ａ及び左側吹出口１７ｂが上部に形成され、下部に下側吹出口１７ｃが形成されている。室内熱交換器４０は、室内ファン３０の上に設けられ、室内ファン３０から右側吹出口１７ａ及び左側吹出口１７ｂに向けて送られる空気を熱交換する。ケーシング１０は、右側吹出口１７ａ及び左側吹出口１７ｂ近傍の内部空間Ｓ３と下側吹出口１７ｃとを結ぶダクト２０を有している。このダクト２０は、正面パネル１１と室内ファン３０及び室内熱交換器４０との間に配置されている。【選択図】図２
2014077577.tif 000002
【特許請求の範囲】
【請求項１】
下部から上部に延びる正面パネル（１１，１１Ａ）を有し、吸込口（１８ａ，１８ｂ，１８ｃ，１８ｄ）が形成され、第１吹出口（１７ａ，１７ｂ）が上部に形成され、前記正面パネルの下部に第２吹出口（１７ｃ）が形成されているケーシング（１０，１０Ａ）と、
前記吸込口から空気を吸込んで前記第１吹出口のある上方に向かって空気を送る送風ファン（３０）と、
前記送風ファンの上に設けられ、前記送風ファンから前記第１吹出口に向けて送られる空気を熱交換する熱交換器（４０）と、
を備え、
前記ケーシングは、前記第１吹出口近傍の内部空間と前記第２吹出口とを結ぶダクト（２０，２０Ａ）をさらに有し、前記ダクトが前記正面パネルと前記送風ファン及び前記熱交換器との間に配置されている、床置き型空調室内機。
【請求項２】
前記ダクトの前記第１吹出口近傍に設けられ、前記第１吹出口から調和された空気を吹出させるときに前記ダクトを閉鎖する閉鎖部材（２１）をさらに備える、
請求項１に記載の床置き型空調室内機。
【請求項３】
前記熱交換器は、前記送風ファンから送られてくる空気を冷却可能に構成され、
前記ケーシングは、前記熱交換器が空気を冷却する冷房時に、前記吸込口から吸込む空気を前記第１吹出口から吹出させるように構成されている、
請求項２に記載の床置き型空調室内機。
【請求項４】
前記熱交換器は、前記送風ファンから送られてくる空気を加熱可能に構成され、
前記ケーシングは、前記熱交換器が空気を加熱する暖房時に、前記吸込口から吸込む空気を前記第１吹出口から吹出させるとともに前記第２吹出口から吹出させる上下吹きモード及び前記第２吹出口のみから吹出させる下吹きモードを選択できるように構成されている、
請求項１から３のいずれか一項に記載の床置き型空調室内機。
【請求項５】
前記ケーシングは、前記第１吹出口が前記ダクトの左右に分かれて前記正面パネルに配置されている左第１吹出口（１８ｂ）及び右第１吹出口（１８ａ）を含む、
請求項１から４のいずれか一項に記載の床置き型空調室内機。
【請求項６】
前記ケーシングは、前記吸込口が前記ダクトの左右に分かれて前記正面パネルに配置されている左側吸込口（１８ｄ）及び右側吸込口（１８ｃ）を含む、
請求項１から５のいずれか一項に記載の床置き型空調室内機。
【発明の詳細な説明】
【技術分野】
【０００１】
本発明は、床置き型空調室内機に関し、特にケーシングの上部と下部に吹出口を有する床置き型空調室内機に関する。
【背景技術】
【０００２】
従来から、ケーシングの上部と下部にそれぞれ上方吹出口と下方吹出口を備え、中央から空気を吸い込み、熱交換器を通して吸込んだ空気の調和を行い、上方吹出口や下方吹出口から調和空気を吹出す床置き型空調室内機が知られている。
【０００３】
例えば、特許文献１（特開２００９−２５７７０９号公報）に示されている従来の空調室内機では、前面又は側面に吸込口が設けられ、送風ファンの背面側に下方の温風吹出口に通じる通路が設けられる構成となっている。
【発明の概要】
【発明が解決しようとする課題】
【０００４】
しかし、特許文献１のように送風ファンの背面側に通路を設けようとすると、床置き型空調室内機のケーシングの前後方向の長さが長くなる傾向がある。
【０００５】
そこで、本発明の課題は、調和される空気を下から吹出させることができかつ前後方向のケーシングの長さが短い床置き型空調室内機を提供することにある。
【課題を解決するための手段】
【０００６】
本発明の第１観点に係る床置き型空調室内機は、下部から上部に延びる正面パネルを有し、吸込口が形成され、第１吹出口が上部に形成され、正面パネルの下部に第２吹出口が形成されているケーシングと、吸込口から空気を吸込んで第１吹出口のある上方に向かって空気を送る送風ファンと、送風ファンの上に設けられ、送風ファンから第１吹出口に向けて送られる空気を熱交換する熱交換器と、を備え、ケーシングは、第１吹出口近傍の内部空間と第２吹出口とを結ぶダクトをさらに有し、ダクトが正面パネルと送風ファン及び熱交換器との間に配置されているものである。
【０００７】
第１観点に係る床置き型空調室内機によれば、ケーシングの有するダクトが、正面パネルと送風ファン及び熱交換器との間に配置され、第１吹出口近傍の内部空間と第２吹出口とを結ぶので、ダクトに正面パネルの断熱材の役割を一部担わせることができ、正面パネルの断熱材を薄くし或いは断熱材をなくすことができる。
【０００８】
本発明の第２観点に係る床置き型空調室内機は、第１観点に係る床置き型空調室内機において、ダクトの第１吹出口近傍に設けられ、第１吹出口から調和された空気を吹出させるときにダクトを閉鎖する閉鎖部材をさらに備えるものである。
【０００９】
第２観点に係る床置き型空調室内機によれば、第１吹出口から調和された空気が吹出されるときに閉鎖部材によってダクトが閉鎖されることで、ダクト内の空気が断熱効果を発揮する。
【００１０】
本発明の第３観点に係る床置き型空調室内機は、第２観点の床置き型空調室内機において、熱交換器は、送風ファンから送られてくる空気を冷却可能に構成され、ケーシングは、熱交換器が空気を冷却する冷房時に、吸込口から吸込む空気を第１吹出口から吹出させるように構成されているものである。
【００１１】
第３観点に係る床置き型空調室内機によれば、冷房時に送風ファンから熱交換器を通って冷やされた空気が第１吹出口から吹出されるが、正面パネルと送風ファン及び熱交換器との間をダクトによって断熱して正面パネルが冷えるのを防止することができる。
【００１２】
本発明の第４観点に係る床置き型空調室内機は、第１観点から第３観点のいずれかの床置き型空調室内機において、熱交換器は、送風ファンから送られてくる空気を加熱可能に構成され、ケーシングは、熱交換器が空気を加熱する暖房時に、吸込口から吸込む空気を第１吹出口から吹出させるとともに第２吹出口から吹出させる上下吹きモード及び第２吹出口のみから吹出させる下吹きモードを選択できるように構成されているものである。
【００１３】
第４観点に係る床置き型空調室内機によれば、上下吹きモードと下吹きモードのいずれのモードにおいても、暖房時に、ダクトを通して第２吹出口から温風を吹出させることができる。
【００１４】
本発明の第５観点に係る床置き型空調室内機は、第１観点から第４観点のいずれかの床置き型空調室内機において、ケーシングは、第１吹出口がダクトの左右に分かれて正面パネルに配置されている左第１吹出口及び右第１吹出口を含むものである。
【００１５】
第５観点に係る床置き型空調室内機によれば、前から見て第１吹出口の占有領域がダクトの占有領域の左右に分かれていることで、側面から見たときに第１吹出口の上下方向の位置とダクトの上下方向の位置が重なるように構成されても、正面パネルにバランスよく十分な面積を持つ第１吹出口を確保することができる。
【００１６】
本発明の第６観点に係る床置き型空調室内機は、第１観点から第５観点のいずれかの床置き型空調室内機において、ケーシングは、吸込口がダクトの左右に分かれて正面パネルに配置されている左側吸込口及び右側吸込口を含むものである。
【００１７】
第６観点に係る床置き型空調室内機によれば、前から見て吸込口の占有領域がダクトの占有領域の左右に分かれていることで、側面から見たときに吸込口の上下方向の位置とダクトの上下方向の位置が重なるように構成されても、正面パネルにバランスよく十分な面積を持つ吸込口を確保することができる。
【発明の効果】
【００１８】
本発明の第１観点に係る床置き型空調室内機では、ケーシングの前後方向で正面パネルとダクトと送風ファン及び熱交換器とが重なるにもかかわらず、ケーシングの前後方向の長さを短くしながら、上方にある第１吹出口近傍の内部空間に供給される調和空気をダクトで下方の第２吹出口に導くことができる。
【００１９】
本発明の第２観点に係る床置き型空調室内機では、ダクトを配置した箇所の断熱効果が高められるので、ケーシングの前後方向の長さを短く設計し易くなる。
【００２０】
本発明の第３観点に係る床置き型空調室内機では、正面パネルとダクトと送風ファン及び熱交換器とが重なる前後方向を短く形成しても、ダクトによって、正面パネルが冷えるのを防止でき、冷房時の結露を防止することができる。
【００２１】
本発明の第４観点に係る床置き型空調室内機では、上下吹きモードと下吹きモードのいずれのモードにおいても第２吹出口から足元に温風を吹出させ、足元から暖めることができる。
【００２２】
本発明の第５観点に係る床置き型空調室内機では、側面から見たときに第１吹出口の上下方向の位置とダクトの上下方向の位置を重なるように構成することで、ケーシングの前後方向の長さを短くし易くなる。
【００２３】
本発明の第６観点に係る床置き型空調室内機では、側面から見たときに吸込口の上下方向の位置とダクトの上下方向の位置を重なるように構成することで、ケーシングの前後方向の長さを短くし易くなる。
【図面の簡単な説明】
【００２４】
【図１】床置き型空調室内機の外観の概要を示す正面図。
【図２】（ａ）床置き型空調室内機を模式的に示す平面図、（ｂ）床置き型空調室内機を模式的に示す正面図、（ｃ）床置き型空調室内機を模式的に示す側面断面図。
【図３】床置き型空調室内機のダクトの位置を説明するための斜視図。
【図４】垂直フラップ及び水平フラップを説明するための部分断面図。
【図５】床置き型空調室内機の上下吹きモードの気流を説明するための概念図。
【図６】床置き型空調室内機のダクトの他の例を説明するための斜視図。
【図７】（ａ）床置き型空調室内機の他の例を模式的に示す平面図、（ｂ）床置き型空調室内機の他の例を模式的に示す正面図、（ｃ）床置き型空調室内機の他の例を模式的に示す側面断面図。
【発明を実施するための形態】
【００２５】
（１）床置き型空調室内機の全体構成
図１は、本発明の一実施形態に係る床置き型空調室内機の外観の概要を示す正面図である。また、図２（ａ）は、床置き型空調室内機の模式的な平面図であり、図２（ｂ）は、床置き型空調室内機の模式的な正面図であり、図２（ｃ）は、床置き型空調室内機の模式的な断面図である。図１に示されている床置き型空調室内機１は、冷房運転と暖房運転の両方の運転に対応することができる。この床置き型空調室内機１には、屋外に設置される室外機（図示せず）が連絡配管によって接続され、室外機と床置き型空調室内機１の室内熱交換器４０（図２（ｃ）参照）で冷凍回路を構成する。
【００２６】
この冷凍回路の中を冷媒が循環し、室内熱交換器４０において、暖房時には室内空気と冷媒との間の熱交換によって冷媒から室内空気に熱が移動して室内空気が暖められ、冷房時には室内空気と冷媒との間の熱交換によって室内空気から冷媒に熱が移動して室内空気が冷やされる。つまり、暖房時には床置き型空調室内機１の室内熱交換器４０が放熱器として働き、冷房時には室内熱交換器４０が蒸発器として働くということである。
【００２７】
このような暖房時の冷凍回路としては、例えば、室外機の圧縮機（図示せず）、床置き型空調室内機１の室内熱交換器４０、膨張機構及び室外機の室外熱交換器（図示せず）を順に冷媒が循環する構成を有するものがある。この暖房時の冷凍回路では、ガス冷媒が圧縮機に吸入されて圧縮された後に吐出されることにより、暖房時の冷凍回路中を冷媒が循環する。圧縮機で圧縮されたガス冷媒は室内熱交換器４０で放熱して液冷媒となり、膨張機構で膨張し、室外熱交換器で蒸発してガス冷媒となって、再び圧縮機に吸入される。
【００２８】
また、冷房時の冷凍回路としては、例えば、室外機の圧縮機、室外機の室外熱交換器、膨張機構及び床置き型空調室内機１の室内熱交換器４０を順に冷媒が循環する構成を有するものがある。この冷房時の冷凍回路でも、ガス冷媒が圧縮機に吸入されて圧縮された後に吐出されることにより、冷房時の冷凍回路中を冷媒が循環する。圧縮機で圧縮されたガス冷媒は室外熱交換器で放熱して液冷媒となり、膨張機構で膨張し、室内熱交換器４０で蒸発してガス冷媒となって、再び圧縮機に吸入される。
【００２９】
床置き型空調室内機１は、主に、ケーシング１０と、室内熱交換器４０と、室内ファン３０とを備えている。室内熱交換器４０と室内ファン３０は、ケーシング１０内に収納されている。図２（ｃ）に示されているように、室内ファン３０がケーシング１０の下方に配置され、室内熱交換器４０がケーシング１０の上方に配置されている。
【００３０】
（２）ケーシングの外観
ケーシング１０は、正面パネル１１と右側面パネル１２と左側面パネル１３と天面パネル１４と底面パネル１５と背面パネル１６とによって囲まれた直方体形状を有している。正面パネル１１には、正面パネル１１に向かって右側の上方に右側吹出口１７ａが形成され、向かって左側の上方に左側吹出口１７ｂが形成され、下方の左右方向中央部に下側吹出口１７ｃが形成されている。右側吹出口１７ａには、床置き型空調室内機１の停止時に右側吹出口１７ａを覆ってケーシング１０の一部となり、床置き型空調室内機１の運転時に右側吹出口１７ａから吹出される気流の左右方向の風向を調節するための垂直フラップ５１ａが設けられている。同様に、左側吹出口１７ｂには、床置き型空調室内機１の停止時に左側吹出口１７ｂを覆ってケーシング１０の一部となり、床置き型空調室内機１の運転時に左側吹出口１７ｂから吹出される気流の左右方向の風向を調節するための垂直フラップ５１ｂが設けられている。
【００３１】
ケーシング１０の右側面パネル１２には、下方の前方よりに右側吸込口１８ａが形成されている。また、ケーシング１０の左側面パネル１３には、下方の前方よりに左側吸込口１８ｂが形成されている。
【００３２】
（３）ケーシング内部の構造
ケーシング１０の内部の下方には、図２（ｂ）及び図２（ｃ）に示されているように、室内ファン３０が配置されている。室内ファン３０は、例えば多数の羽根が配置されているロータ（図示せず）が正面パネル１１と平行に取り付けられているシロッコファンである。室内ファン３０は、背面パネル１６の前にあって仕切板１９で仕切られている内部空間Ｓ１に配置されている。内部空間Ｓ１の前方には、仕切板１９と正面パネル１１との間に内部空間Ｓ２が形成されている。また、内部空間Ｓ１，Ｓ２の上方には、室内熱交換器４０を境に内部空間Ｓ３が形成されている。
【００３３】
室内熱交換器４０は、例えば右側面から見ると、図２（ｃ）に示されているように、上端部に近いところほど背面パネル１６に近くなるように斜めに配置されている。室内ファン３０の上方における内部空間Ｓ１と内部空間Ｓ３の境界部分に、室内熱交換器４０が配置されている。室内熱交換器４０の下端は、ドレンパン４１によって支持されている。このドレンパン４１は、仕切板１９の上に設けられている。これら仕切板１９とドレンパン４１が内部空間Ｓ２と内部空間Ｓ３の境界になる。つまり、内部空間Ｓ１は、右側面パネル１２と左側面パネル１３と底面パネル１５と背面パネル１６と仕切板１９とドレンパン４１と室内熱交換器４０とで囲まれている。また、内部空間Ｓ２は、正面パネル１１と右側面パネル１２と左側面パネル１３と底面パネル１５と仕切板１９とドレンパン４１とで囲まれている。また、内部空間Ｓ３は、右側面パネル１２と左側面パネル１３と天面パネル１４と室内熱交換器４０とドレンパン４１と仕切板１９とで囲まれている。
【００３４】
内部空間Ｓ２には、上下に延びるダクト２０が正面パネル１１に沿って形成されている。図３には、ダクト２０と右側吹出口１７ａ、左側吹出口１７ｂ、第３吹出口１７及び右側吸込口１８ａとのおよその位置関係が示されている。ダクト２０の上部は、上下方向において右側吹出口１７ａと左側吹出口１７ｂとの間にまで延びている。そのため、ダクト２０の上端は、室内熱交換器４０の前方に位置している。また、ダクト２０の下端は、下側吹出口１７ｃの上部にまで達している。ダクト２０は、例えばポリエステル又はポリプロピレンなどの熱可塑性樹脂で形成された中空の管である。ダクト２０の断面形状は、例えば円形又は方形などの成形の容易な形状であることが好ましい。ダクト２０の上端部近傍には、ダクト２０の上端部と内部空間Ｓ３との間が開通している状態と閉鎖している状態とを選択的につくり出すためのダンパ２１が設けられている。図２（ｂ）の実線で示されている位置にダンパ２１があって、ダンパ２１が開いているときは、ダクト２０の上端部と内部空間Ｓ３との間が開通し、図２（ｂ）の破線で示されている位置にダンパ２１があって、ダンパ２１が閉じているときは、ダクト２０の上端部と内部空間Ｓ３との間が閉鎖されている。
【００３５】
正面パネル１１の内面側には、右側吹出口１７ａ，１７ｂの間に断熱材４２が取り付けられている。断熱材４２が取り付けられている高さ方向の領域は、前面側から見て、室内熱交換器４０に対応する領域である。また、断熱材４２は、前面から見ると、図２（ｂ）に示されているように、ダクト２０の上部の周囲を囲むように配置されている。言い換えると、ダクト２０が存する部分については断熱材４２が取り除かれているということである。
【００３６】
（４）垂直フラップ及び水平フラップ
垂直フラップ５１ａは、図１に示されているように、右側吹出口１７ａに設けられ、垂直フラップ５１ｂは、左側吹出口１７ｂに設けられている。垂直フラップ５１ａ，５１ｂは、正面パネル１１に対する角度を変更することによって、図２（ａ）の矢印Ａｒ１，Ａｒ２で示されているように、吹出される調和空気を案内する角度を調節する。例えば、正面パネル１１に対する角度を大きくすると、角度を小さくした場合に比べて吹出し方向が前方に傾く。一方、正面パネル１１に対する角度を小さくすると、右側吹出口１７ａからは右側寄りに案内され、左側吹出口１７ｂからは左側寄りに案内される。図４には、右側吹出口１７ａ及びその周囲の断面形状が示されている。垂直フラップ５１ａは、回転軸５２を有しており、この回転軸５２を中心に回転する。垂直フラップ５１ｂは、図示されていないが、垂直フラップ５１ａと同様に回転軸を中心に回転するように構成されている。垂直フラップ５１ａ，５１ｂがモータ（図示せず）によって駆動されて、垂直フラップ５１ａ，５１ｂが回転する。垂直フラップ５１ａ，５１ｂは、ともに板状の部材で構成され、それぞれ右側吹出口１７ａ及び左側吹出口１７ｂの開口部の形状と同じ形状を有している。
【００３７】
図４には右側吹出口１７ａの水平フラップ５３しか示されていないが、多数の水平フラップ５３が、右側吹出口１７ａ及び左側吹出口１７ｂにそれぞれ設けられている。右側吹出口１７ａに設けられている水平フラップ５３と左側吹出口１７ｂに設けられている水平フラップ５３とは、左右対称の構成である。水平フラップ５３は、水平面（天面パネル１４）に対する角度を変更することによって、図２（ｃ）の矢印Ａｒ３で示されている、吹出される調和空気を案内する角度を調節する。例えば、水平面に対する角度を上向きに大きくすると、角度を小さくした場合に比べて吹出し方向が上方に傾く。一方、水平面に対する角度を小さくすると、右側吹出口１７ａ及び左側吹出口１７ｂから吹出される調和空気が水平面に近い方向に（前方に向かって真っ直ぐに）案内される。水平フラップ５３は、図４に示されているように、回転軸５４を有しており、この回転軸５４を中心に回転する。
【００３８】
（５）調和空気の吹出し
（５−１）暖房時
暖房時の調和空気の吹出し方には、２つのモードがある。一つは、右側吹出口１７ａ、左側吹出口１７ｂ及び下側吹出口１７ｃから吹出させる上下吹きモードであり、他の一つは、下側吹出口１７ｃのみから吹出させる下吹きモードである。図５には、暖房時の上下吹きモードにおける気流が模式的に示されている。
【００３９】
図５において、室内空気が右側吸込口１８ａに吸込まれるときに生じる気流が矢印Ａｒ４で示され、室内空気が左側吸込口１８ｂに吸込まれるときに生じる気流が矢印Ａｒ５で示されている。一方、右側吹出口１７ａ、左側吹出口１７ｂ及び下側吹出口１７ｃから吹出される調和空気の気流がそれぞれ矢印Ａｒ１，Ａｒ２，Ａｒ６で示されている。
【００４０】
図５に示されている上下吹きモードでは、室内空気が右側吸込口１８ａ及び左側吸込口１８ｂからケーシング１０に吸込まれると、まず、正面パネル１１側の内部空間Ｓ２に入る。内部空間Ｓ２に入った室内空気は、仕切板１９の開口部１９ａ（図２（ｂ）及び図２（ｃ）参照）から室内ファン３０に吸込まれ、遠心力によって内部空間Ｓ１の上方に向かって吹出される。室内ファン３０によって内部空間Ｓ１に吹出された室内空気は、室内熱交換器４０を通過する際に調和されて調和空気となって内部空間Ｓ３に入る。この調和空気は、暖房時には、室内熱交換器４０から熱を与えられて室内空気よりも高い温度になっている。
【００４１】
上下吹きモードでは、ダンパ２１が開放されていて内部空間Ｓ３とダクト２０の上端とが開通している。このような状態において、内部空間Ｓ３に入った調和空気は、内部空間Ｓ３から右側吹出口１７ａ及び左側吹出口１７ｂを通って吹出されて、矢印Ａｒ１，Ａｒ２で示されている気流を形成する。それと同時に、内部空間Ｓ３に入った調和空気は、内部空間Ｓ３からダクト２０を経由して下側吹出口１７ｃに吹出されて、矢印Ａｒ６で示されている気流を形成する。
【００４２】
一方、暖房時の下吹きモードでは、ダンパ２１が開かれるとともに垂直フラップ５１ａ，５１ｂによって右側吹出口１７ａ及び左側吹出口１７ｂが閉じられて、内部空間Ｓ３からダクト２０を通って下側吹出口１７ｃに送られる調和空気の経路のみが開通される。それにより、下吹きモードでは、内部空間Ｓ３から右側吹出口１７ａ及び左側吹出口１７ｂを通って吹出される気流（矢印Ａｒ１，Ａｒ２の気流）がなくなり、下側吹出口１７ｃから吹出される気流（矢印Ａｒ６の気流）のみになる。
【００４３】
（５−２）冷房時
冷房時の調和空気の吹出し方は、右側吹出口１７ａと左側吹出口１７ｂから吹出させる上吹きモードのみである。この冷房時の上吹きモードでは、ダンパ２１が閉じられて、内部空間Ｓ３からダクト２０を通って下側吹出口１７ｃに送られる調和空気の経路が閉鎖される。
【００４４】
つまり、冷房時の上吹きモードにおいては、図５に示されている暖房時の上下吹きモードの気流のうち矢印Ａｒ６で示されている気流がなくなっている状態になる。そのため、室内空気が右側吸込口１８ａ及び左側吸込口１８ｂからケーシング１０に吸込まれると、まず、正面パネル１１側の内部空間Ｓ２に入るのは暖房時の上下吹きモードと同様である。内部空間Ｓ２に入った室内空気が仕切板１９の開口部１９ａから室内ファン３０に吸込まれ、遠心力によって内部空間Ｓ１の上方に向かって吹出されるのも暖房時の上下吹きモードと同様である。室内ファン３０によって内部空間Ｓ１に吹出された室内空気は、室内熱交換器４０を通過する際に調和されて調和空気となって内部空間Ｓ３に入る。この調和空気は、冷房時には、室内熱交換器４０によって熱を奪われて室内空気よりも低い温度になっている。内部空間Ｓ３に入った調和空気は、内部空間Ｓ３から右側吹出口１７ａ及び左側吹出口１７ｂを通って吹出されて、矢印Ａｒ１，Ａｒ２で示されている気流を形成する。しかし、上吹きモードでは、ダンパ２１が閉じられ内部空間Ｓ３とダクト２０の上端とが閉鎖されているので、内部空間Ｓ３に入った調和空気は、内部空間Ｓ３からダクト２０に侵入することはない。
【００４５】
（６）特徴
（６−１）
上記実施形態の床置き型空調室内機１のケーシング１０は、下部から上部に延びる正面パネル１１を有し、右側吸込口１８ａ及び左側吸込口１８ｂ（吸込口の例）が下部に形成され、右側吹出口１７ａ及び左側吹出口１７ｂ（第１吹出口の例）が上部に形成され、正面パネルの下部に下側吹出口１７ｃ（第２吹出口の一例）が形成されている。ここで上部とはケーシング１０の上下方向中央よりも上方を指し、下部とはケーシング１０の上下方向中央よりも下方を指す。室内ファン３０（送風ファンの一例）は、右側吸込口１８ａ及び左側吸込口１８ｂから空気を吸込んで右側吹出口１７ａ及び左側吹出口１７ｂのある上方に向かって空気を送る。室内熱交換器４０（熱交換器の一例）は、室内ファン３０の上に設けられ、室内ファン３０から右側吹出口１７ａ及び左側吹出口１７ｂに向けて送られる空気を熱交換する。ケーシング１０は、右側吹出口１７ａ及び左側吹出口１７ｂ近傍の内部空間Ｓ３と下側吹出口１７ｃとを結ぶダクト２０を有している。このダクト２０は、正面パネル１１と室内ファン３０及び室内熱交換器４０との間に配置されている。
【００４６】
ケーシング１０においては、ダクト２０を正面パネル１１と室内ファン３０及び室内熱交換器４０との間に配置し、ダクト２０によって右側吹出口１７ａ及び左側吹出口１７ｂ近傍の内部空間Ｓ３と下側吹出口１７ｃとを結ぶようにして、ダクト２０に正面パネル１１の断熱材の役割を一部担わせている。このように、ダクト２０に正面パネル１１の断熱材４２の役割を一部担わせ、ダクト２０の周囲の正面パネル１１の断熱材４２を薄くしている。ここでは、断熱材４２を薄くしているだけであるが、ダクト２０の断熱性能が十分高ければ、ダクト２０と内部空間Ｓ３との間の断熱材４２をなくすこともできる。その結果、ケーシング１０の前後方向で正面パネル１１とダクト２０と室内ファン３０及び室内熱交換器４０とが重なるにもかかわらず、ケーシング１０の前後方向の長さを短くすることができている。また、暖房時の上下吹きモードでは、上方にある右側吹出口１７ａ及び左側吹出口１７ｂ近傍の内部空間Ｓ３に供給される調和空気をダクト２０で下方の下側吹出口１７ｃに導くことができている。
【００４７】
（６−２）
ダンパ２１（閉鎖部材の一例）は、ダクト２０の右側吹出口１７ａ及び左側吹出口１７ｂ近傍に設けられ、右側吹出口１７ａ及び左側吹出口１７ｂから調和された空気を吹出させるときにダクト２０を閉鎖する。そのため、例えば冷房時に、右側吹出口１７ａ及び左側吹出口１７ｂから室内空気より低温の調和空気（調和された空気の一例）が吹出されるときにダンパ２１によってダクト２０が閉鎖されることで、ダクト２０内の空気が断熱効果を発揮する。ダンパ２１を閉じることで、ダクト２０を配置した箇所の断熱効果が高められるので、ケーシング１０の前後方向の長さを短く設計し易くなる。
【００４８】
（６−３）
上記実施形態の室内熱交換器４０は、室内ファン３０から送られてくる空気を冷却可能に構成されている。冷房時に、右側吸込口１８ａ及び左側吸込口１８ｂから吸込む空気が室内ファン３０から室内熱交換器４０を通って冷やされて調和空気になり、その冷やされた調和空気が右側吹出口１７ａ及び左側吹出口１７ｂから吹出される。このとき、正面パネル１１と室内ファン３０及び室内熱交換器４０との間をダクト２０によって断熱して正面パネル１１が冷えるのを防止することができる。正面パネル１１とダクト２０と室内ファン３０及び室内熱交換器４０とが重なる前後方向を短く形成しても、ダクト２０によって、正面パネル１１が冷えるのを防止でき、冷房時の結露を防止することができている。
【００４９】
（６−４）
また、室内熱交換器４０は、室内ファン３０から送られてくる空気を加熱可能に構成され、ケーシング１０は、室内熱交換器４０が空気を加熱する暖房時に、右側吸込口１８ａ及び左側吸込口１８ｂから吸込む室内空気を調和して調和空気を右側吹出口１７ａ及び左側吹出口１７ｂから吹出させるとともに下側吹出口１７ｃから吹出させる上下吹きモード及び下側吹出口１７ｃのみから吹出させる下吹きモードを選択できるように構成されている。
【００５０】
上下吹きモードと下吹きモードのいずれのモードにおいても、暖房時に、ダクト２０を通して下側吹出口１７ｃから温風を吹出させることができる。暖房時の上下吹きモードと下吹きモードのいずれのモードにおいても、床置き型空調室内機の下側吹出口１７ｃから足元に温風を吹出させ、足元から暖めることができる。
【００５１】
（６−５）
ケーシング１０の右側吹出口１７ａ（右第１吹出口の一例）及び左側吹出口１７ｂ（左第１吹出口の一例）は、ダクト２０の左右に分かれて正面パネル１１に配置されている。前から見て右側吹出口１７ａ及び左側吹出口１７ｂの占有領域がダクト２０の占有領域の左右に分かれていることで、側面から見たときに右側吹出口１７ａ及び左側吹出口１７ｂの上下方向の位置とダクト２０の上下方向の位置が重なるように構成できており、正面パネル１１にバランスよく十分な面積を持つ右側吹出口１７ａ及び左側吹出口１７ｂを確保することができている。それにより、ケーシング１０の前後方向の長さを短くすることが容易になっている。
【００５２】
（７）変形例
（７−１）変形例Ａ
上記実施形態では、ダクト２０が一本の管状部材で構成されている場合について説明したが、ダクトは、他の部材で構成されてもよい。例えば、図６に示されているように、２本の管状部材２２を用いてダクト２０Ａを構成してもよい。
【００５３】
（７−２）変形例Ｂ
上記実施形態では、右側吸込口１８ａ及び左側吸込口１８ｂがケーシング１０の右側面パネル１２及び左側面パネル１３に形成されている場合について説明したが、右側吸込口及び左側吸込口が形成されるのは、右側面パネル１２及び左側面パネル１３に限られるものではない。例えば、図７に示されているケーシング１０Ａのように、右側吸込口１８ｃ及び左側吸込口１８ｄがダクト２０の左右に分かれて正面パネル１１Ａに配置されていてもよい。このケーシング１０Ａの右側面パネル１２Ａ及び左側面パネル１３Ａには、右側吸込口及び左側吸込口が形成されていない。このように、前から見て右側吸込口１８ｃ及び左側吸込口１８ｄの占有領域がダクト２０Ａの占有領域の左右に分かれていることで、側面から見たときに右側吸込口１８ｃ及び左側吸込口１８ｄの上下方向の位置とダクト２０Ａの上下方向の位置が重なるように構成しても、正面パネル１１Ａにバランスよく十分な面積を持つ右側吸込口１８ｃ及び左側吸込口１８ｄを確保することができる。側面から見たときに右側吸込口１８ｃ及び左側吸込口１８ｄの上下方向の位置とダクト２０の上下方向の位置が重なるように構成することで、ケーシング１０Ａの前後方向の長さを短くし易くなる。
【符号の説明】
【００５４】
１  床置き型空調室内機
１０  ケーシング
１１，１１Ａ  正面パネル
１７ａ  右側吹出口
１７ｂ  左側吹出口
１７ｃ  下側吹出口
１８ａ，１８ｃ  右側吸込口
１８ｂ，１８ｄ  左側吸込口
２０，２０Ａ  ダクト
２１  ダンパ
３０  室内ファン
４０  室内熱交換器
５１ａ，５１ｂ  垂直フラップ
５３  水平フラップ
【先行技術文献】
【特許文献】
【００５５】
【特許文献１】特開２００９−２５７７０９号公報
【図１】
2014077577.tif 000003
【図２】
2014077577.tif 000004
【図３】
2014077577.tif 000005
【図４】
2014077577.tif 000006
【図５】
2014077577.tif 000007
【図６】
2014077577.tif 000008
【図７】
2014077577.tif 000009